(57)【要約】【課題】簡単な構造で線状部材に粒状や粉状等の被搬送物が付着しにくいコイル形コンベアを提供する。【解決手段】始端５Ａに籾Ｍの入口部９を設ける共に、終端５Ｂに出口部１０を設けた筒状の搬送路部材３の軸線Ｘ方向に、搬送用のコイル状の線状部材４を回動自在に設ける。線状部材４の少なくとも終端５Ｂ側を軸受１３により回動自在に支持する。線状部材４の斜めの部位４Ｃにおける回転軌跡１７の外周に近接して、該線状部材４の掃除部材１４を搬送路部材３に設ける。籾Ｍから抜けた毛状物Ｈが線状部材４に付着しても掃除部材１４によって除去することができ、この結果搬送路部材３の搬送断面積を確保し、搬送量の低下を防止することができる。【選択図】      図１
2004224488.tif 000002
【特許請求の範囲】
【請求項１】
搬送路の始端側に被搬送物の入口部を設ける共に、終端側に出口部を設けた筒又は樋状の搬送路部材の軸線方向に、搬送用の螺旋部材を回動自在に設ける共に該螺旋部材の少なくとも前記終端側を回動自在に支持したコンベアにおいて、前記螺旋部材の回転軌跡に接触又は該回転軌跡の外周に近接して、該螺旋部材の掃除部材を前記搬送路部材に設けることを特徴とするコンベア。
【請求項２】
搬送路の始端側に被搬送物の入口部を設ける共に、終端側に出口部を設けた筒又は樋状の搬送路部材の軸線方向に、搬送用のコイル状の線状部材を回動自在に設ける共に該線状部材の少なくとも前記終端側を回動自在に支持したコイル形のコンベアにおいて、前記線状部材の回転軌跡に接触又は該回転軌跡の外周に近接して、該線状部材の掃除部材を前記搬送路部材に設けることを特徴とするコンベア。
【請求項３】
前記掃除部材は、前記終端側に設けられることを特徴とする請求項２記載のコンベア。
【請求項４】
前記掃除部材は、前記回転軌跡の一部に沿って設けられることを特徴とする請求項３記載のコンベア。
【請求項５】
前記掃除部材は、前記搬送路部材に基端を固定すると共に、先端を前記軸線方向に突設したことを特徴とする請求項２〜４のいずれか１項に記載のコンベア。
【発明の詳細な説明】
【０００１】
【発明の属する技術分野】
本発明は、粒状、粉状等の被搬送物を搬送するコイル形コンベアに関する。
【０００２】
【従来の技術】
従来、この種のものとして、貯留ケース内にコイル状の線状部材を設けてコイル形コンベアを配置し、該コンベアを搬送管に挿入して、搬送管出口端から粉体を供給する粉体供給装置が知られている。（例えば、特許文献１参照。）
【０００３】
【特許文献１】
特開２０００−９５３２３号公報（図２）
【０００４】
【発明が解決しようとする課題】
このようなコイル形コンベアにおいて、従来技術のように線状部材の排出側端を自由端とせずに、線状部材を両端支持形とするために排出側端を軸受等を介して回動自在に支持した場合、粉等の被搬送物が線状部材に付着し線状部材が付着した被搬送物によって太くなり、この結果搬送量の低下が生ずる虞がある。特に被搬送物が籾の場合においては、籾殻に生えた毛状物が抜けてこの毛状物が排出側端の軸受等に付着し、この毛状物の付着が線状部材に沿って、搬送方向とは逆方向に成長してしまう虞があった。
【０００５】
そこで、本発明は、簡単な構造で粒状や粉状等の被搬送物が付着しにくいコンベアを提供することを目的とする。
【０００６】
【課題を解決するための手段】
請求項１の発明は、搬送路の始端側に被搬送物の入口部を設ける共に、終端側に出口部を設けた筒又は樋状の搬送路部材の軸線方向に、搬送用の螺旋部材を回動自在に設ける共に該螺旋部材の少なくとも前記終端側を回動自在に支持したコンベアにおいて、前記螺旋部材の回転軌跡に接触又は該回転軌跡の外周に近接して、該螺旋部材の掃除部材を前記搬送路部材に設けることを特徴とするコンベアである。
【０００７】
この請求項１の構成によれば、粉状や粒状等の被搬送物が螺旋部材に付着しても掃除部材によって付着物を除去することができる。
【０００８】
請求項２の発明は、搬送路の始端側に被搬送物の入口部を設ける共に、終端側に出口部を設けた筒又は樋状の搬送路部材の軸線方向に、搬送用のコイル状の線状部材を回動自在に設ける共に該線状部材の少なくとも前記終端側を回動自在に支持したコイル形のコンベアにおいて、前記線状部材の回転軌跡に接触又は該回転軌跡の外周に近接して、該線状部材の掃除部材を前記搬送路部材に設けることを特徴とするコンベアである。
【０００９】
この請求項２の構成によれば、粉状や粒状等の被搬送物がコイル状の線状部材に付着しても掃除部材によって付着物を除去することができる。
【００１０】
請求項３の発明においては、前記掃除部材は、前記終端側に設けられることを特徴とする請求項２記載のコンベアである。
【００１１】
この請求項３の構成によれば、線状部材の終端側からの付着物の成長を、該終端側に設けた掃除部材によって防止することができる。
【００１２】
請求項４の発明においては、前記掃除部材は、前記回転軌跡の一部に沿って設けられることを特徴とする請求項３記載のコンベアである。
【００１３】
この請求項４の構成によれば、回転軌跡の一部に沿って掃除部材が線状或いは面状に設けられるので、付着物を確実に除去することができる。
【００１４】
請求項５の発明においては、前記掃除部材は、前記搬送路部材に基端を固定すると共に、先端を前記軸線方向に突設したことを特徴とする請求項２〜４のいずれか１項に記載のコンベアである。
【００１５】
この請求項５の構成によれば、掃除部材は搬送路部材より突設している。
【００１６】
【発明の実施形態】
以下、本発明の一実施形態を添付図を参照して説明する。被搬送物たる籾殻Ｍを収容するタンク１の底部に設けられる搬送用の螺旋部材たるコイル状の線状部材としてのコイル形コンベア２は、円筒状部の搬送路部材３の軸線Ｘ方向にコイル状の線状部材４を回動自在に設けたものである。そして、搬送路部材３は、搬送方向５の始端５Ａに側板６を配置した円筒形の本体７における搬送方向５の終端５Ｂ側に中空な箱状部材８を連通している。さらに搬送路部材３の始端５Ａ側に籾殻Ｍの入口部９を上向きに設ける共に、この入口部９をタンク１の底部に連通して接続している。一方、搬送路部材３の終端５Ｂにある箱状部材８には出口部１０を下向きに設けている。
【００１７】
前記コイル状の線状部材４は、所定の間隔ごとに線材をバネ状に巻いた形状をなしており、その始端５Ａ側及び終端５Ｂ側のコイル半径ｒは、コイル状の線状部材の中央部のコイル半径Ｒより次第に小さく形成されて（ｒ＜Ｒ）、線状部材４の始端側５Ａ及び終端側５Ｂは軸線Ｘと一致させて直軸状に形成されている。そして始端５Ａ側の直軸部４Ａには、モータ等の回転駆動源１１が接続している。一方、終端５Ｂ側の直軸部４Ｂは、搬送路部材３の終端５Ｂに回動自在に接続している。すなわち、直軸部４Ｂは、やや径大な短筒部材１２に挿着され、この短筒部材１２は箱状部材８の側板部の内側に設けた軸受１３に回動自在に支持されている。
【００１８】
前記線状部材４に付着する付着物をへらのように掻き落とすように除去する掃除部材１４は、終端５Ｂ側となる箱状部材８内に設けられる。この掃除部材１４は、基端たる取り付け部１５とこの取り付け部１５の中央より突設した突部１６からなる断面がほぼＴ字形状をなしており、終端５Ｂ側となる箱状部材８の上板部８Ａの下面に前記取り付け部１４が固定されている。そして、軸線Ｘに向けて突設する突部１６の先端１６Ａは、コイル半径Ｒ箇所の線状部材４における回転軌跡１７の外側に近接するように設けられる。すなわち、終端５Ｂ側におけるコイル半径Ｒ箇所の線状部材４の回転軌跡１７は、軸線Ｘを中心に円形に仮想的に配置されるものであり、そして線状部材４の斜めの部位４Ｃにおいては、回転軌跡は一点鎖線で示すように円錐形となる。そして、この回転軌跡１７の外側となる線状部材４と接触しない側となる外側に前記突部１６の先端１６Ａが該回転軌跡１７に近接して配置されるものであって、前記突部１６の先端１６Ａは軸線方向Ｘにやや長く形成される先端１６Ａの長辺部は、線状部材４の斜めの部位４Ｃに沿うように、終端５Ｂ側を軸線Ｘに近づけ、一方始端５Ａ側を搬送路部材３、すなわち上板部８Ａに近づけるように設けている。尚、図中１８は箱状部材８に設けた透明部材からなる窓である。
【００１９】
次に前記構成についてその作用を説明する。回転駆動源１１を作動して線状部材４を軸線Ｘを中心として回転駆動すると、タンク３内のＭは入口部９より導入され、そして線状部材４の回転によって籾Ｍは始端５Ａ側から終端５Ｂ側へと移動する。そして、終端５Ｂ側では出口部１０より落下して排出される。
【００２０】
このような籾Ｍの排出の際に籾殻Ｍに生えた毛状物Ｈが籾殻Ｍより抜けて、この毛状物Ｈは籾Ｍと共に線状部材４の回転にしたがって搬送される。そして毛状物Ｈの一部は軸受１３により係止されて線状部材４に付着し、毛状物Ｈは線状部材４に沿って成長する。そして、毛状物Ｈの成長が前記線状部材４の斜めの部位４Ｃにおける一点鎖線で示した回転軌跡１７に位置すると、掃除部材１４に線状部材４の斜めの部位４Ｃが接近して該部位４Ｃにまで成長した毛状物Ｈはかき落とされ、毛状物Ｈの成長を該箇所で防止することができる。
【００２１】
以上のように、前記実施形態では始端５Ａに籾Ｍの入口部９を設ける共に、終端５Ｂに出口部１０を設けた筒状の搬送路部材３の軸線Ｘ方向に、搬送用のコイル状の線状部材４を回動自在に設ける共に該線状部材４の少なくとも前記終端５Ｂ側を軸受１３により回動自在に支持し、前記線状部材４の斜めの部位４Ｃにおける回転軌跡１７の外周に近接して、該線状部材４の掃除部材１４を前記搬送路部材３に設けて、毛状物Ｈが線状部材４に付着しても掃除部材１４によって除去することができ、この結果搬送路部材３の搬送断面積を確保し、搬送量の低下を防止することができる。
【００２２】
また、前記掃除部材１４は、前記終端５Ｂ側に設けられることにより、線状部材４の終端５Ｂ側からの毛状物Ｈの成長を、該終端５Ｂ側に設けた掃除部材１４によって防止して毛状物Ｈの成長を直ちに防止することができる。
【００２３】
さらに、前記掃除部材１４は前記回転軌跡１７の一部に沿って軸線方向Ｘに長く設けられることにより、線状部材４に付着した毛状物Ｈと掃除部材１４との接触が線状或いは面状となってその面積等を大きくして確実に除去することができる。
【００２４】
しかも、前記掃除部材１４は、前記搬送路部材３に取り付け部１５を固定すると共に、先端１６Ａを前記軸線Ｘ方向に突設したことにより、取り付け強度を向上でき、また取り付けも簡単に行うことができる。
【００２５】
尚、本発明は上記実施形態に限定されるものではなく、本発明の要旨の範囲内において、種々の変形実施が可能である。例えば、実施形態では搬送路部材を円筒状のものを示したが樋状の搬送路部材でもよい。また実施形態で掃除部材を線状部材の回転軌跡に近接するように設けたが、掃除部材を線状部材の回転軌跡に接触するように、すなわち掃除部材が線状部材に接触するように設けてもよい。さらに、被搬送物としては麦等の穀類でもよい。また、螺旋部材としてはスクリュウのようなものでもよい。
【００２６】
【発明の効果】
請求項１の発明は、搬送路の始端側に被搬送物の入口部を設ける共に、終端側に出口部を設けた筒又は樋状の搬送路部材の軸線方向に、搬送用の螺旋部材を回動自在に設ける共に該螺旋部材の少なくとも前記終端側を回動自在に支持したコンベアにおいて、前記螺旋部材の回転軌跡に接触又は該回転軌跡の外周に近接して、該螺旋部材の掃除部材を前記搬送路部材に設けることを特徴とするコンベアであり、螺旋部材の付着物を除去して、搬送路部材の搬送断面積を確保し、搬送量の低下を防止することができる。
【００２７】
請求項２の発明は、搬送路の始端側に被搬送物の入口部を設ける共に、終端側に出口部を設けた筒又は樋状の搬送路部材の軸線方向に、搬送用のコイル状の線状部材を回動自在に設ける共に該線状部材の少なくとも前記終端側を回動自在に支持したコイル形のコンベアにおいて、前記線状部材の回転軌跡に接触又は該回転軌跡の外周に近接して、該線状部材の掃除部材を前記搬送路部材に設けることを特徴とするコンベアであり、線状部材の付着物を除去して、搬送路部材の搬送断面積を確保し、搬送量の低下を防止することができる。
【００２８】
請求項３の発明においては、前記掃除部材は、前記終端側に設けられることを特徴とする請求項２記載のコンベアであり、線状部材の付着物の成長を速やかに防止することができる。
【００２９】
請求項４の発明においては、前記掃除部材は、前記回転軌跡の一部に沿って設けられることを特徴とする請求項３記載のコンベアであり、線状部材の付着物を確実に除去することができる。
【００３０】
請求項５の発明においては、前記掃除部材は、前記搬送路部材に基端を固定すると共に、先端を前記軸線方向に突設したことを特徴とする請求項２〜４のいずれか１項に記載のコンベアであり、掃除部材を搬送路部材に固定することで、取り付け強度を向上でき、また取り付けも簡単に行うことができる。
【図面の簡単な説明】
【図１】本発明の一実施形態を示す一部を拡大した断面図である。
【図２】本発明の一実施形態を示す側面側の断面図である。
【図３】本発明の一実施形態を示す要部の斜視図である。
【符号の説明】
２  コイル形コンベア
３  搬送路部材
４  線状部材（螺旋部材）
５  搬送方向
５Ａ  始端
５Ｂ  終端
９  入口部
１０  出口部
１４  掃除部材
１５  取り付け部（基端）
１７  回転軌跡
Ｘ  軸線
Ｍ  籾（被搬送物）
【図１】
2004224488.tif 000003
【図２】
2004224488.tif 000004
【図３】
2004224488.tif 000005